(57)【特許請求の範囲】
【請求項１】
機構部のシャーシであるメカシャーシと、
一側がディスクのカートリッジが挿入されるように開放して形成され且つ他側が前記メカシャーシに支持され、外蓋の開閉に連動して開位置と閉位置とに揺動可能にされたカートリッジホルダーと、
このカートリッジホルダーの他側の内部で、ディスクの平面に沿った方向に揺動可能に枢支され、且つカートリッジ排出方向に付勢されたエジェクト板と、
前記メカシャーシに設けられた軸により当該メカシャーシに対して揺動可能に支持され、前記エジェクト板がカートリッジホルダー内から退避した位置で、一端部が前記エジェクト板を係止するエジェクト解除レバーと、
前記カートリッジホルダーの側面に揺動可能に支持され、端部にカートリッジホルダーの内側に突出する第１の凸部と、前記カートリッジホルダーの外側に突出する第２の凸部とを有する回転板カムとを備え、
前記カートリッジホルダーが閉位置に位置するとき、前記第２の凸部が前記エジェクト解除レバーの他端部と接触し、前記エジェクト解除レバーが前記エジェクト板を係止する位置に保持させ、
前記カートリッジホルダーが閉位置から開位置に移動するとき、前記回転板カムが回動することにより前記第１の凸部が前記エジェクト解除レバーと接触し、前記エジェクト解除レバーの他端部が内側にガイドされることにより、前記エジェクト解除レバーの一端部における前記エジェクト板との係止が解除されることを特徴とするカートリッジ排出装置。
【請求項２】
前記第１の凸部は、前記カートリッジホルダーの内側に折曲げられ、
前記第２の凸部は、前記カートリッジホルダーの外側に折曲げられて構成されており、
前記カートリッジホルダーが閉位置から開位置に移動するとき、前記回転板カムが回動することにより前記第１の凸部が前記エジェクト解除レバーと接触し、当該エジェクト解除レバーの他端部が内側にガイドされることにより、前記エジェクト解除レバーの一端部における前記エジェクト板との係止が解除されることを特徴とする請求項１に記載のカートリッジ排出装置。
【請求項３】
前記第１及び第２の凸部は、突起であることを特徴とする請求項１に記載のカートリッジ排出装置。
【請求項４】
前記エジェクト解除レバーが、係止位置に向かってロックバネにより付勢されていることを特徴とする請求項１に記載のカートリッジ排出装置。
【請求項５】
前記回転板カムが、カートリッジホルダーの閉鎖時にエジェクト解除レバーを揺動させ得る位置に、バネにより付勢され且つストッパにより抑止されていることを特徴とする請求項１に記載のカートリッジ排出装置。
【請求項６】
機構部のシャーシであるメカシャーシと、
一側がディスクのカートリッジが挿入されるように開放して形成され且つ他側が前記メカシャーシに支持され、外蓋の開閉に連動して開位置と閉位置とに揺動可能にされたカートリッジホルダーと、
前記メカシャーシに設けられ、前記カートリッジホルダーに収納される記録媒体に対して情報の記録及び/又は再生を行う記録及び/又は再生部と、
前記カートリッジホルダーの他側の内部で、ディスクの平面に沿った方向に揺動可能に枢支され、且つカートリッジ排出方向に付勢されたエジェクト板と、
前記メカシャーシに設けられた軸により前記メカシャーシに対して揺動可能に支持され、前記エジェクト板がカートリッジホルダー内から退避した位置で、一端部が前記エジェクト板を係止するエジェクト解除レバーと、
前記カートリッジホルダーの側面に揺動可能に支持され、端部にカートリッジホルダーの内側に突出する第１の凸部と、前記カートリッジホルダーの外側に突出する第２の凸部とを有する回転板カムとを備え、
前記カートリッジホルダーが閉位置に位置するとき、前記第２の凸部が前記エジェクト解除レバーの他端部と接触し、前記エジェクト解除レバーが前記エジェクト板を係止する位置に保持させ、
前記カートリッジホルダーが閉位置から開位置に移動するとき、前記回転板カムが回動することにより前記第１の凸部が前記エジェクト解除レバーと接触し、前記エジェクト解除レバーの他端部が内側にガイドされることにより、前記エジェクト解除レバーの一端部における前記エジェクト板との係止が解除されることを特徴とする記録及び/又は再生装置。
【発明の詳細な説明】
【０００１】
【産業上の利用分野】
本発明は、例えばミニディスク等の光ディスク等ディスクカートリッジ内に収容された記録媒体の記録再生を行なう装置における、カートリッジ排出装置及び記録及び/又は再生装置に関するものである。
【０００２】
【従来の技術】
従来、例えば光磁気ディスク装置のカートリッジ排出装置は、例えば図１２及び１３に示すように構成されている。
即ち、図１２及び図１３において、カートリッジ排出装置１は、固定配置されたメカシャーシ２と、このメカシャーシ２に対して揺動可能に指示されたカートリッジホルダー３と、このカートリッジホルダー３が開位置にあるとき、このカートリッジホルダー３内に収容されているカートリッジ４を排出するエジェクト板５とから構成されている。
【０００３】
上記メカシャーシ２は、図示しない光磁気ディスク装置のケース内に固定配置されている。そして、このメカシャーシ２上に直接的にまたは間接的に、光磁気ディスクを回転駆動するための駆動装置やこの光磁気ディスクの記録及び／または再生を行なうための光学ピックアップ等が配設されている。
【０００４】
上記カートリッジホルダー３は、図１３に示すように、下端が開放している扁平な箱状に形成されており、この開放端から、光磁気ディスクを収容したカートリッジ４が挿入されるようになっている。さらに、カートリッジホルダー３は、図１２にて上端付近から横方向外側に向かって突出するように形成された軸部３ａを備えている。
【０００５】
これにより、この軸部３ａが、メカシャーシ２の上端付近の両側に備えられた軸穴２ａに嵌合することにより、カートリッジホルダー３は、メカシャーシ２に対して、実線で示す閉位置から点線で示す開位置まで軸部３ａの周りに揺動可能に支持されている。尚、カートリッジホルダー３は、図示しない外蓋と連結されており、この外蓋の開閉に連動して、開位置と閉位置との間で揺動するようになっている。
【０００６】
また、カートリッジホルダー３は、図１３に示すように、実線で示す閉位置に移動したとき、メカシャーシ２上に植設された基準軸２ｂが、このカートリッジホルダー３に備えられた係合穴３ｂに嵌合することによって、メカシャーシ２に対して、正確に位置決めされ、カートリッジ４内に収容された光磁気ディスクの記録及び／または再生が確実に行われるようになっている。
【０００７】
上記エジェクト板５は、剛性材料から形成されていると共に、図１２に示すように、メカシャーシ２の上端付近にて、メカシャーシ２に垂直な回転軸５ａの周りに揺動可能に支持されていると共に、自由端が、カートリッジホルダー３の上端付近の内部に延びている。これにより、このエジェクト板５は、図１２において、実線で示す退避位置から点線で示す排出位置まで揺動するようになっている。さらに、このエジェクト板５は、一端がエジェクト板５に係止され、他端がメカシャーシ２に係止されたエジェクトバネ６により、排出位置に向かって付勢されている。
【０００８】
このように構成された光磁気ディスク装置のカートリッジ排出装置１によれば、カートリッジ４を装填する場合には、先づカートリッジホルダー３が開位置にある状態で、このカートリッジ４が、図１２及び図１３にて矢印Ａで示すように、カートリッジホルダー３の開放端から挿入される。そして、このカートリッジ４の挿入によって、エジェクト板５は、このカートリッジ４の先端によって、エジェクトバネ６の張力に抗して、回転軸５ａの周りに回動し、図１２にて実線で示す退避位置に移動する。ここで、このエジェクト板５は、例えば係合爪（図示せず）がメカシャーシ２に設けられた係合部（図示せず）に係合することによって、ロックされる。
【０００９】
続いて、カートリッジホルダー３は、図示しない外蓋が閉じられることにより、図１３にて矢印Ｐで示すように、軸部３ａの周りに回動され、図１３に実線で示す閉位置に移動する。この場合、このカートリッジホルダー３は、その係合穴３ｂが、メカシャーシ２に設けられた基準軸２ｂに嵌合することにより、メカシャーシ２上で正確に位置決めされることになる。かくして、カートリッジ４の装填が完了する。
【００１０】
また、カートリッジ４を排出させる場合には、例えば図示しないケース等に設けられたエジェクトボタンを操作することによって、先づカートリッジホルダー３が、外蓋と共に、図１３にて矢印Ｑで示すように、軸部３ａの周りに回動され、図１３に点線で示す開位置に移動する。
このカートリッジホルダー３の開放によって、前述したエジェクト板５のロックが解除されることにより、このエジェクト板５は、エジェクトバネ６の張力によって、図１２に点線で示す排出位置に移動する。これにより、カートリッジ４は、その先端が、エジェクト板５によって図１２及び図１３にて下方に押動される。かくして、カートリッジ４が、図１２及び図１３にて矢印Ｂで示すように、カートリッジホルダー３の開放端から外部に排出されることになる。
【００１１】
この場合、上記カートリッジホルダー３のロック及びロック解除は、外蓋そしてカートリッジホルダー３の開閉に伴って作動する板カムによって行なわれている。この板カムは、弾性部材によって形成されることにより、板バネを兼用している。これにより、上記板カムは、外蓋の閉鎖時には、この外蓋の閉鎖に従ってカム動作すると共に、外蓋の開放時には、その開放動作に基づいて変形することにより、この外蓋の開閉軌道から逃げ得るようになっている。
【００１２】
【発明が解決しようとする課題】
しかしながら、このように構成されたカートリッジ排出装置１においては、上述した板カムは、本来の板カムとしての動作のために剛性が必要であると共に、板バネとしての動作のために弾性が必要であるという、相反する機能を有しているので、その動作が不安定であるという問題があった。
【００１３】
また、外蓋及びカートリッジホルダーの開放を軽保持するために、この外蓋及びカートリッジホルダーの開放と同時に動作するリンク機構等の別の機構が必要であるため、構造が複雑になり、部品点数が多く、部品コスト及び組立コストが高くなってしまうという問題があった。
【００１４】
本発明は、以上の点に鑑み、カートリッジホルダーを開位置に移動させたとき、確実に記録媒体のエジェクトが可能になり、簡単な構成により、安定した動作が得られるようにした、カートリッジ排出装置及び記録及び/又は再生装置を提供することを目的としている。
【００１５】
【課題を解決するための手段】
上記目的は、本発明の請求項１によれば、機構部のシャーシであるメカシャーシと、一側がディスクのカートリッジが挿入されるように開放して形成され且つ他側が前記メカシャーシに揺動可能に支持されたカートリッジホルダーと、このカートリッジホルダーの他側の内部で、ディスクの平面に沿った方向に揺動可能に枢支され、且つカートリッジ排出方向に付勢されたエジェクト板と、前記メカシャーシに設けられた軸により当該メカシャーシに対して揺動可能に支持され、前記エジェクト板がカートリッジホルダー内から退避した位置で、一端部が前記エジェクト板を係止するエジェクト解除レバーと、前記カートリッジホルダーの側面に揺動可能に支持され、端部にカートリッジホルダーの内側に突出する第１の凸部と、前記カートリッジホルダーの外側に突出する第２の凸部とを有する回転板カムとを備えている、カートリッジ排出装置により、達成される。
【００１６】
また、本発明の請求項２によれば、前記第１の凸部は、前記カートリッジホルダーの内側に折曲げられ、前記第２の凸部は、前記カートリッジホルダーの外側に折曲げられて構成されており、前記カートリッジホルダーが閉位置から開位置に移動するとき、前記回転板カムが回動することにより前記第１の凸部が前記エジェクト解除レバーと接触し、当該エジェクト解除レバーの他端部が内側にガイドされることにより、前記エジェクト解除レバーの一端部における前記エジェクト板との係止が解除されることを特徴とする。
【００１７】
また、本発明の請求項３によれば、前記第１及び第２の凸部は、突起であることを特徴とする。
【００１８】
また、本発明の請求項４によれば、前記エジェクト解除レバーが、係止位置に向かってロックバネにより付勢されていることを特徴とする。
【００１９】
また、本発明の請求項５によれば、前記回転板カムが、カートリッジホルダーの閉鎖時にエジェクト解除レバーを揺動させ得る位置に、バネにより付勢され且つストッパにより抑止されていることを特徴とする。
【００２０】
また、本発明の請求項６によれば、機構部のシャーシであるメカシャーシと、一側がディスクのカートリッジが挿入されるように開放して形成され且つ他側が前記メカシャーシに支持され、外蓋の開閉に連動して開位置と閉位置とに揺動可能にされたカートリッジホルダーと、前記メカシャーシに設けられ、前記カートリッジホルダーに収納される記録媒体に対して情報の記録及び/又は再生を行う記録及び/又は再生部と、前記カートリッジホルダーの他側の内部で、ディスクの平面に沿った方向に揺動可能に枢支され、且つカートリッジ排出方向に付勢されたエジェクト板と、前記メカシャーシに設けられた軸により前記メカシャーシに対して揺動可能に支持され、前記エジェクト板がカートリッジホルダー内から退避した位置で、一端部が前記エジェクト板を係止するエジェクト解除レバーと、
前記カートリッジホルダーの側面に揺動可能に支持され、端部にカートリッジホルダーの内側に突出する第１の凸部と、前記カートリッジホルダーの外側に突出する第２の凸部とを有する回転板カムとを備えている、記録及び/又は再生装置により、達成される。
【００２１】
【作用】
上記構成によれば、カートリッジの排出時には、カートリッジホルダーが開位置に移動すると、回転板カムが、エジェクト解除レバーを係止位置から解放位置に揺動させる。これにより、エジェクト板は、退避位置から解放されることになり、張力に基づいて排出位置に揺動される。従って、カートリッジホルダー内に挿入されているカートリッジが、外部に排出されることになる。
【００２２】
また、カートリッジの装填時には、カートリッジがカートリッジホルダー内に挿入されることにより、エジェクト板が退避位置に移動し、さらにエジェクト解除レバーが係止位置に移動することにより、このエジェクト板が退避位置にロックされる。さらに、カートリッジホルダーが閉位置に移動すると、回転板カムは、エジェクト解除レバーに当接し、このエジェクト解除レバーを逃げるように、揺動される。これにより、カートリッジホルダーは円滑に閉鎖されることになる。
【００２３】
上記、請求項２によれば、カートリッジホルダーが閉位置から開位置に移動するとき、回転板カムが回動することにより、第１の凸部がエジェクト解除レバーと接触し、当該エジェクト解除レバーの他端部が内側にガイドされることにより、エジェクト解除レバーの一端部におけるエジェクト板との係止を解除することができる。
【００２４】
上記、請求項３によれば、第１及び第２の凸部は、回転板カムの端部を折曲げることにより突起を形成することができる。
【００２５】
上記、請求項４によれば、カートリッジをカートリッジホルダー内に挿入することにより、エジェクト板がカートリッジ先端によって退避位置に移動すると、エジェクト解除レバーがロックバネの張力により、係止位置に移動し、エジェクト板を退避位置にロックされる。
【００２６】
上記、請求項５によれば、カートリッジホルダーの閉鎖時には、回転カム板がバネの張力に抗してエジェクト解除レバーにより揺動されるようになり、エジェクト解除レバーから逃げてカートリッジホルダーが円滑に閉鎖される。
【００２７】
上記、請求項６によれば、カートリッジホルダーが閉位置に位置するとき、第２の凸部がエジェクト解除レバーの他端部と接触し、エジェクト解除レバーがエジェクト板を係止する位置に保持させ、カートリッジホルダーが閉位置から開位置に移動するとき、回転板カムが回動することにより第１の凸部がエジェクト解除レバーと接触し、エジェクト解除レバーの他端部が内側にガイドされることにより、エジェクト解除レバーの一端部におけるエジェクト板との係止を解除することができる。
【００２８】
【実施例】
以下、この発明の好適な実施例を図１乃至図１１を参照しながら、詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００２９】
図１及び図２は、本発明のカートリッジ排出装置の一実施例の要部を示している。
図１において、カートリッジ排出装置１０は、固定配置されたメカシャーシ１１と、このメカシャーシ１１に対して揺動可能に支持されたカートリッジホルダー１２と、このカートリッジホルダー１２が開位置にあるとき、このカートリッジホルダー１２内に収容されているカートリッジ１３を排出するエジェクト板１４とを有している。
【００３０】
上記メカシャーシ１１は、図示しない光磁気ディスク装置のケース内に固定配置されている。そして、このメカシャーシ１１上に直接的にまたは間接的に、光磁気ディスクを回転駆動するための駆動装置やこの光磁気ディスクの記録及び／または再生を行なうための光学ピックアップ等が配設されている。
【００３１】
図１及び図２のこのカートリッジホルダー１２は、一端、図示の場合下端が開放している扁平な箱状に形成されており、この開放端から、内部に光磁気ディスクを収容したカートリッジ１３が挿入されるようになっている。
さらに、カートリッジホルダー１２は、図２に示すように軸部１２ａを備えている。これにより、この軸部１２ａが、メカシャーシ１１の上端付近の両側に備えられた軸穴１１ａに嵌合することにより、カートリッジホルダー１２は、メカシャーシ１１に対して、図示の閉位置から開位置（図８及び図９参照）まで、この軸部１２ａの周りに揺動可能に支持されている。尚、カートリッジホルダー１２は、図示しない外蓋と連結されており、この外蓋の開閉に連動して、開位置と閉位置との間で揺動するようになっている。
【００３２】
上記エジェクト板１４は、剛性の高い材料から形成されていると共に、図１に示すように、メカシャーシ１１の上端右側付近にて、メカシャーシ１１に垂直な回転軸１４ａの周りに揺動可能に支持されていると共に、自由端１４ｂが、カートリッジホルダー１２の上端付近の内部に延びている。
これにより、このエジェクト板１４は、カートリッジホルダー１２内にて、図示の退避位置から、排出位置（図８及び図９参照）まで揺動するようになっている。さらに、このエジェクト板１４は、一端がエジェクト板１４に係止され、他端がメカシャーシ１１に係止されたエジェクトバネ１５により、排出位置に向かって付勢されている。
【００３３】
上記構成は、図１２及び図１３に示した従来のカートリッジ排出装置１と同様の構成であるが、本実施例によるカートリッジ排出装置１０においては、このエジェクト板１４は、その自由端１４ｂとは反対側にて、上方に向かって垂直に切り起こされた折曲片１４ｃを備えている。
【００３４】
さらに、メカシャーシ１１上には、上記エジェクト板１４に隣接して、全体が前後方向（カートリッジの移動方向）に延びるエジェクト解除レバー１６が配設されている。また図１においてカートリッジホルダー１２の右側面には、全体が上下方向（図１の紙面に垂直な方向）に延びる回転板カム１７が配設されている。
【００３５】
このエジェクト解除レバー１６は、その中央部が、垂直軸１６ａによって、メカシャーシ１１に対して揺動可能に枢支されている。一端がこのエジェクト解除レバー１６に係止され、他端がメカシャーシ１１に係止されたロックバネ１８により、このエジェクト解除レバー１６は図１にて反時計周りに付勢されている。また、エジェクト解除レバー１６は、その前端１６ｂが、エジェクト板１４の折曲片１４ｃに係合していると共に、その後端１６ｃに、横方向に突出したピン１６ｄを有している。
【００３６】
上記回転板カム１７は、図２に示すように、回転軸１７ａによって、カートリッジホルダー１２に対して揺動可能に枢支されていると共に、一端がこの回転板カム１７に係止され、他端がメカシャーシ１１に係止されたバネ１９により、図２にて時計周りに付勢されている。さらに、この回転板カム１７は、カートリッジホルダー１２に設けられたストッパ２０に当接することにより、図２における時計方向の回転が抑止されている。
【００３７】
また、この回転板カム１７は、その上端１７ｂに、図３乃至図５に示すように、厚さ方向に折曲された二つの曲げ部１７ｃ，１７ｄを有している。即ち、曲げ部１７ｃは、回転板カム１７の上端（図３において）１７ｂの先端付近にて、上方に向かって斜め後方に関して、内側に折曲されている。また、曲げ部１７ｄは、回転板カム１７の上端（図３において左端）１７ｂ付近にて、下方（右方）に向かって外側に折曲されている。
【００３８】
本発明実施例によるカートリッジ排出装置１０は、以上のように構成されており、カートリッジ１３を排出する場合には、例えば図示しないケース等に設けられたエジェクトボタンを操作することによって、先づカートリッジホルダー１２が、図示しない外蓋と共に、図７にて矢印Ｑ方向で示すように、軸部１２ａの周りに回動され、図７に示す開位置に移動する。
このカートリッジホルダー１２の開放と同時に、回転板カム１７は、先づその曲げ部１７ｄがエジェクト解除レバー１６の軸部１６ｄの先端をガイドすることにより、この軸部１６ｄの先端が、回転板カム１７の内側に進入し、続いてその曲げ部１７ｃが、エジェクト解除レバー１６の軸部１６ｄから矢印Ｆで示す力を受ける。これにより、この回転板カム１７は、時計方向のトルクを受けることにより、カートリッジホルダー１２と共に、矢印Ｑ方向に移動する。このとき、この回転板カム１７は、時計方向のトルクを受けるが、ストッパ２０によって時計方向の回動が規制されている。
【００３９】
これに対して、エジェクト解除レバー１６は、その軸部１６ｄが、回転板カム１７の曲げ部１７ｃにより、図６にて、矢印Ｇで示す力を受けることになる。これにより、このエジェクト解除レバー１６は、その前端１６ｃが、ロックバネ１８の張力に抗して、矢印Ｇ方向に押動される。
従って、このエジェクト解除レバー１６は、回転軸１６ａの周りに時計方向に揺動されて、図６に示す解除位置に移動する。かくして、このエジェクト解除レバー１６は、その前端１６ｂが、エジェクト板１４の折曲片１４ｃから外れる。
【００４０】
これにより、このエジェクト板１４は、エジェクトバネ１５の張力によって、図６に示す排出位置に移動する。これにより、カートリッジ１３は、その先端が、エジェクト板１４の自由端１４ｂによって、後方に向かって、即ち図６及び図７にて下方に押動される。かくして、カートリッジ１３は、図６にて矢印Ｂで示すように、カートリッジホルダー１２の開放端から外部に排出されることになる。
尚、カートリッジホルダー１２が開位置にあるとき、回転板カム１７の上端１７ｂの曲げ部１７ｃが、エジェクト解除レバー１６の軸部１６ｄに接触すると共に、この回転板カム１７がバネ１９によってストッパ２０に当接していることにより、カートリッジホルダー１２は、その開位置に、軽保持されることになる。
【００４１】
また、カートリッジ１３を装填する場合には、図９に示すように、カートリッジホルダー１２が開位置にある状態で、このカートリッジ１３が、図８及び図９にて矢印Ａで示すように、カートリッジホルダー１２の開放端から挿入される。
そして、このカートリッジ１３の挿入によって、エジェクト板１４（図２参照）は、このカートリッジの先端によって、エジェクトバネ１５（図１参照）のの張力に抗して、回転軸１４aの周りに回動し、図８にて点線で示す退避位置に移動する。ここで、このエジェクト板１４の折曲片１４ｃは、エジェクト解除レバー１６の前端１６ｂの後方に入り込むことになるので、エジェクト解除レバー１６は、ロックバネ１８の張力に基づいて、回転軸１６aの回りに反時計方向に回動し、その前端１６ｂが、エジェクト板１４の折曲１４ｃに係合する。これにより、エジェクト板１４は、このエジェクト解除レバー１６によって、退避位置にロックされるので、反時計方向の揺動が阻止される。
【００４２】
続いて、カートリッジホルダー１２は、図示しない外蓋が閉じられることにより、図９にて矢印Ｐで示すように、軸部１２ａの周りに回動され、図１に示す閉位置に移動する。
この場合、このカートリッジホルダー１２は、メカシャーシ１１に設けられた基準軸（図示せず）に嵌合することにより、メカシャーシ１１上で正確に位置決めされることになる。また、カートリッジホルダー１２が閉位置に移動すると、回転板カム１７は、その上端１７ｂの曲げ部１７ｃの側縁が、上記エジェクト解除レバー１６の軸部１６ｄに当接することになる。従って、この回転板カム１７は、この軸部１６ｄから矢印Ｈで示す力を受けるので、バネ１９の張力に抗して、回転軸１７ａの周りに反時計方向に揺動される。
このとき、エジェクト解除レバー１６は、回転板カム１７から反力を受けることになるが、この反力は、エジェクト解除レバー１６の図９にて反時計方向に作用する。従って、このエジェクト解除レバー１６のエジェクト解除方向ではなく、ロック方向に作用することになるので、エジェクト解除レバー１６は、安定した状態に保持されることになる。かくして、カートリッジ１３の装填が完了する。
【００４３】
また、カートリッジ１３がカートリッジホルダー１２内に挿入されない状態で、カートリッジホルダー１２が閉位置に移動し場合には、同様にして、エジェクト解除レバー１６の軸部１６ｄが、回転板カム１７の上端の曲げ部１７ｃの側縁に沿って摺動することにより、この回転板カム１７は、図９にて反時計方向に揺動されることになる。
【００４４】
このように、上述の実施例では、カートリッジ排出時には、回転板カムは、揺動せずに、カムとして作動することにより、エジェクト解除レバーを揺動させると共に、カートリッジ装填時には、この回転板カムは、揺動することによって、エジェクト解除レバーから逃げることになる。これにより、カートリッジの装填及び排出時に、安定した動作が得られることになる。
【００４５】
上記回転板カムが、カートリッジホルダーの閉鎖時に、エジェクト解除レバーを係止位置から解放位置まで揺動させる凸部を備えている場合には、この凸部がエジェクト解除レバーに当接することにより、エジェクト解除レバーを解放位置に確実に揺動させ得ることになる。
【００４６】
この凸部が、回転板カムの端部を折曲することにより構成されている場合には、凸部が、容易に形成されることになる。
【００４７】
この凸部が、回転板カムの端部に設けられた突起である場合には、同様に凸部が容易に形成されることになる。
【００４８】
上記エジェクト解除レバーが、係止位置に向かってロックバネにより付勢されている場合には、カートリッジの装填時に、カートリッジ挿入によるエジェクト板の退避位置への揺動に連動して、エジェクト解除レバーによるエジェクト板のロックが行なわれる得るので、操作が簡単になる。
【００４９】
上記回転板カムが、カートリッジホルダーの開放時にエジェクト解除レバーを揺動させ得る位置に、バネにより付勢され且つストッパにより抑止されている場合には、カートリッジホルダーが円滑に閉鎖されると共に、カートリッジホルダーの開位置における軽保持が行われる。従って、カートリッジホルダーの軽保持のための機構が不要であり、構成が簡単になる。かくして、コストが低減されることになる。
【００５０】
尚、上述した実施例においては、回転板カム１７は、その上端１７ｂに、曲げ部１７ｃが備えられているが、これに限らず、例えば図１０及び図１１に示すように、曲げ部１７ｃの代わりに、エジェクト解除レバー１６の軸部１６ｄを押動するように、この回転板カム１７の上端１７ｂの内側に突出した突起１７ｅが形成されていてもよい。
【００５１】
さらに、また、上述の実施例は光磁気ディスク装置のカートリッジ排出装置について説明しているが、本発明はこれに限られず、情報記録媒体を収容したあらゆるタイプのカートリッジの排出装置に適用することができる。
【００５２】
また、カートリッジ排出装置１０は、光磁気ディスクを収容したカートリッジ１３が、メカシャーシ１１に対してほぼ水平方向に装填されるようになっているが、これに限らず、カートリッジ１３がほぼ垂直に装填されるような構造においても、本発明によるカートリッジ排出装置を適用し得ることは明らかである。
【００５３】
【発明の効果】
以上述べたように、本発明によれば、カートリッジホルダーを開位置に移動させたとき、確実に記録媒体のエジェクトが可能になるといった効果がある。また、簡単な構成により、コストが低減されると共に、安定した動作が得られるようにした情報記録媒体のカートリッジ排出装置及び記録及び/又は再生装置が提供されることになる。
【図面の簡単な説明】
【図１】本発明によるカートリッジ排出装置の一実施例の要部を示す概略平面図である。
【図２】図１のカートリッジ排出装置の要部を示す概略断面図である。
【図３】図１のカートリッジ排出装置の回転板カムの先端付近を示す側面図である。
【図４】図３の回転板カムの先端付近を示す正面図である。
【図５】図３の回転板カムの先端付近を示す平面図である。
【図６】図１のカートリッジ排出装置の排出動作時における概略平面図である。
【図７】図１のカートリッジ排出装置の排出動作時における概略断面図である。
【図８】図１のカートリッジ排出装置の装填時における概略平面図である。
【図９】図１のカートリッジ排出装置の装填時における概略断面図である。
【図１０】図３の回転板カムの変形例を示す側面図である。
【図１１】図１０の回転板カムの平面図である。
【図１２】従来のカートリッジ排出装置の一例を示す概略平面図である。
【図１３】図１２のカートリッジ排出装置の概略断面図である。
【符号の説明】
１０    カートリッジ排出装置
１１    メカシャーシ
１２    カートリッジホルダー
１３    カートリッジ
１４    エジェクト板
１５    エジェクトバネ
１６    エジェクト解除レバー
１７    回転板カム
１８    ロックバネ
１９    バネ
２０    ストッパ
【図１】
0003591008.tif 000002
【図２】
0003591008.tif 000003
【図３】
0003591008.tif 000004
【図４】
0003591008.tif 000005
【図５】
0003591008.tif 000006
【図６】
0003591008.tif 000007
【図７】
0003591008.tif 000008
【図８】
0003591008.tif 000009
【図９】
0003591008.tif 000010
【図１０】
0003591008.tif 000011
【図１１】
0003591008.tif 000012
【図１２】
0003591008.tif 000013
【図１３】
0003591008.tif 000014